(57)【要約】      （修正有）【課題】シンプルなデザインや目を引くデザインの吊下げソケットを使用しないで、直接フィラメント型ＬＥＤ電球が点灯する雰囲気を楽しむことができ、また、吊下げソケットがないことの意外性をも楽しむことができるペンダント灯を提供する。【解決手段】ペンダント灯１０は、電球型ＬＥＤ１１と天井取付具１２と電源供給用コード１３とを備えている。電球型ＬＥＤ１１は、光透過性の電球シェルとＬＥＤモジュールとを有してＬＥＤモジュールが電源供給用コード１３に内包された電線の一方の端末と結線されている。天井取付具１２は、ＬＥＤモジュールを制御する電源回路と当該電源回路と電源端末とを接続する接続具１２ａとを有して電源回路が電源供給用コード１３に内包された電線の他方の端末と結線されている。電源供給用コード１３は、ＬＥＤモジュールと電源回路とを電気的に連結すると共に電球型ＬＥＤ１１を吊下げる吊下コードの役割をもつ。【選択図】図１
0003210959.tif 000002
【実用新案登録請求の範囲】
【請求項１】
室内において天井から吊下げて使用されるペンダント灯であって、
所定の高さに保持される電球型ＬＥＤと、前記天井に設置された電源端末に接続される天井取付具と、一方の端末を前記電球型ＬＥＤに連結すると共に他方の端末を前記天井取付具に連結する電源供給用コードとを備え、
前記電球型ＬＥＤは、光透過性の電球シェルと、当該電球シェルの内部に収容されるＬＥＤモジュールとを有し、当該ＬＥＤモジュールが前記電源供給用コードに内包された電線の一方の端末と結線されており、
前記天井取付具は、前記ＬＥＤモジュールを制御する電源回路と、当該電源回路と前記電源端末とを接続する接続具とを有し、当該電源回路が前記電源供給用コードに内包された電線の他方の端末と結線されており、
前記電源供給用コードは、前記ＬＥＤモジュールと前記電源回路とを電気的に連結すると共に、前記電球型ＬＥＤを吊下げる吊下コードの役割をもつことを特徴とするペンダント灯。
【請求項２】
前記電球型ＬＥＤと前記電源供給用コードの一方の端末との連結部には、電球用の口金を模したカバーが装着されていることを特徴とする請求項１に記載のペンダント灯。
【考案の詳細な説明】
【技術分野】
【０００１】
本考案は、主として室内照明に使用されるペンダント灯に関するものであり、特に、外観の意外性に興味をひくペンダント灯に関するものである。
【背景技術】
【０００２】
近年、熱発散の少ないＬＥＤ電球の普及に伴い、これを利用したペンダント灯が広く普及している。例えば、下記特許文献１に係るペンダント灯などがある。また、ＬＥＤモジュールを電源回路から離して電球シェルの内部に配置することにより、ヒートシンクを使用せずに放熱すると共に光の発光角度を大きくしたＬＥＤ電球が提案されている。例えば、下記特許文献２に係るＬＥＤ電球などがある。
【０００３】
更に、電源回路に使用するコンデンサの小型化や、コンデンサを使用しない電源回路の開発により、ヒートシンクを使用しないフィラメント型ＬＥＤ電球が市販されている。このフィラメント型ＬＥＤ電球は、小さな電源回路を使用すると共にＬＥＤモジュールを電源回路から離して電球シェルの内部に配置することにより、従来のフィラメント電球の様な光を放つことができる。
【先行技術文献】
【特許文献】
【０００４】
【特許文献１】実用新案登録第３２０４１５２号公報
【特許文献２】実用新案登録第３１７８４４１号公報
【考案の概要】
【考案が解決しようとする課題】
【０００５】
このように、ＬＥＤ電球からの熱発散の少なさ、光の発光角度の大きさ、フィラメント型ＬＥＤ電球の開発などによって、従来のような電球シェードを使用しないペンダント灯が使用されるようになってきた。更に、フィラメント型ＬＥＤ電球のデザインにも工夫がなされ、アンティーク調のＬＥＤ電球が市販され、吊下げソケットにフィラメント型ＬＥＤ電球を付けただけの裸電球を点灯するペンダント灯も市販されている。
【０００６】
しかし、フィラメント型ＬＥＤ電球を使用した裸電球の雰囲気を楽しむ場合であっても、ＬＥＤ電球を付けた吊下げソケットに目が奪われることもある。従って、吊下げソケット自体をシンプルなデザインにしたり、逆に目を引くデザインにしたりする工夫が求められる。しかし、シンプルなデザインや目を引くデザインであっても、フィラメント型ＬＥＤ電球だけが点灯する雰囲気を味わうことができない。
【０００７】
そこで、本考案は、以上のようなことに対処して、シンプルなデザインや目を引くデザインの吊下げソケットを使用しないで、直接フィラメント型ＬＥＤ電球が点灯する雰囲気を楽しむことができ、また、吊下げソケットがないことの意外性をも楽しむことができるペンダント灯を提供することを目的とする。
【課題を解決するための手段】
【０００８】
上記課題の解決にあたり、本考案者は、鋭意研究の結果、ＬＥＤ電球の口金の内部に収納されている電源回路を取り出し、ペンダント灯を天井に取り付けるための天井取付具の内部に収納することにより、ＬＥＤ電球を吊下げる電源供給用コードを細くすると共にソケットを使用せず、上記目的を達成できることを見出し本考案の完成に至った。
【０００９】
即ち、本考案に係るペンダント灯は、請求項１の記載によると、
室内において天井から吊下げて使用されるペンダント灯（１０）であって、
所定の高さに保持される電球型ＬＥＤ（１１）と、前記天井に設置された電源端末に接続される天井取付具（１２）と、一方の端末（１３ａ）を前記電球型ＬＥＤに連結すると共に他方の端末（１３ｂ）を前記天井取付具に連結する電源供給用コード（１３）とを備え、
前記電球型ＬＥＤは、光透過性の電球シェル（１５）と、当該電球シェルの内部に収容されるＬＥＤモジュール（１７）とを有し、当該ＬＥＤモジュールが前記電源供給用コードに内包された電線の一方の端末（１８ａ、１８ｂ）と結線されており、
前記天井取付具は、前記ＬＥＤモジュールを制御する電源回路と、当該電源回路と前記電源端末とを接続する接続具（１２ａ）とを有し、当該電源回路が前記電源供給用コードに内包された電線の他方の端末と結線されており、
前記電源供給用コードは、前記ＬＥＤモジュールと前記電源回路とを電気的に連結すると共に、前記電球型ＬＥＤを吊下げる吊下コードの役割をもつことを特徴とする。
【００１０】
また、本考案は、請求項２の記載によると、請求項１に記載のペンダント灯であって、
前記電球型ＬＥＤと前記電源供給用コードの一方の端末との連結部には、電球用の口金を模したカバー（１６）が装着されていることを特徴とする。
【考案の効果】
【００１１】
上記構成によれば、ペンダント灯は、電球型ＬＥＤと、天井取付具と、電源供給用コードとを備えている。電球型ＬＥＤは、電源供給用コードによって所定の高さに保持される。天井取付具は、天井に設置された電源端末に接続される。電源供給用コードは、一方の端末を電球型ＬＥＤに連結すると共に他方の端末を天井取付具に連結する。
【００１２】
電球型ＬＥＤは、光透過性の電球シェルと当該電球シェルの内部に収容されるＬＥＤモジュールとを有している。このＬＥＤモジュールは、電源供給用コードに内包された電線の一方の端末と結線されている。また、天井取付具は、ＬＥＤモジュールを制御する電源回路と当該電源回路と電源端末とを接続する接続具とを有している。この電源回路が電源供給用コードに内包された電線の他方の端末と結線されている。電源供給用コードは、ＬＥＤモジュールと電源回路とを電気的に連結すると共に、電球型ＬＥＤを吊下げる吊下コードの役割をもつ。
【００１３】
これらのことにより、上記構成によれば、シンプルなデザインや目を引くデザインの吊下げソケットを使用しないで、直接フィラメント型ＬＥＤ電球が点灯する雰囲気を楽しむことができ、また、吊下げソケットがないことの意外性をも楽しむことができるペンダント灯を提供することができる。
【００１４】
また、上記構成によれば、電球型ＬＥＤと電源供給用コードの一方の端末との連結部には、電球用の口金を模したカバーが装着されている。このことにより、上記作用効果を発揮すると共に、口金が剥き出しの裸電球が点灯していることの意外性をも楽しむことができるペンダント灯を提供すること。
【図面の簡単な説明】
【００１５】
【図１】本考案に係るペンダント灯の一実施形態を示す正面図である。
【図２】従来のペンダント灯の一例を示す正面図である。
【図３】図２の従来のペンダント灯に使用するＬＥＤ電球の正面図であって、口金の内部を示す断面図である。
【図４】図１の本考案に係るペンダント灯に使用する電球型ＬＥＤの正面図であって、口金を模したカバーの内部を示す断面図である。
【考案を実施するための形態】
【００１６】
以下、本考案に係るペンダント灯を一実施形態により説明する。なお、本考案は、下記の実施形態にのみ限定されるものではない。
【００１７】
図１は、本考案に係るペンダント灯の一実施形態を示す正面図である。図１において、本実施形態に係るペンダント灯１０は、電球型ＬＥＤ１１と天井取付具１２と電源供給用コード１３とを備えている。このペンダント灯１０は、天井取付具１２によって室内の天井に設置された電源端末（図示しない）に接続される。電源供給用コード１３の一方の端末１３ａは、ソケットを介さずに電球型ＬＥＤ１１に直接連結されている。また、電源供給用コード１３の他方の端末１３ｂは、天井取付具１２に連結されている。なお、本実施形態においては、従来の「ＬＥＤ電球」と区別するために「電球型ＬＥＤ」の名称を使用する。また、図１においては、天井取付具としてレール用プラグを使用した。
【００１８】
なお、この電源供給用コード１３は、ＬＥＤモジュール発光用の低電圧用の細い電線を被覆した被覆電線（後述する）である。また、この電源供給用コード１３は、天井から電球型ＬＥＤ１１を所定の高さに保持するのに必要な長さに調整される。本実施形態においては、この電源供給用コード１３は、透明樹脂で被覆されている。これらのことにより、暗い室内に吊下げられた電球型ＬＥＤ１１が点灯することにより、細く透明な電源供給用コード１３は目立ちにくく、あたかも電球型ＬＥＤ１１のみが宙に浮いているような演出をすることができる。
【００１９】
これに対して、図２は、従来のペンダント灯の一例を示す正面図である。また、図２の例は、シンプルなデザインの吊下げソケットを使用したものである。図２において、従来のペンダント灯２０は、ＬＥＤ電球２１と天井取付具２２と電源供給用コード２３とソケット２４とを備えている。このペンダント灯２０は、天井取付具２２によって室内の天井に設置された電源端末（図示しない）に接続される。電源供給用コード２３の一方の端末２３ａは、ソケット２４に連結されている。このソケット２４には、ＬＥＤ電球２１が装着されている。また、電源供給用コード２３の他方の端末２３ｂは、天井取付具２２に連結されている。
【００２０】
なお、この電源供給用コード２３は、従来の１００Ｖ電圧用の太い電線を被覆した被覆電線である。また、この電源供給用コード２３は、天井からＬＥＤ電球２１を所定の高さに保持するのに必要な長さに調整される。従って、この従来のペンダント灯２０においては、暗い室内に吊下げられたＬＥＤ電球２１が点灯することにより、ソケット２４が目立つと共に太い電線を被覆した電源供給用コード２３も目立つこととなり、演出に欠けることとなる。
【００２１】
このように、本実施形態に係るペンダント灯１０においては、細く透明な電源供給用コード１３がソケットを介さずに電球型ＬＥＤ１１に直接連結されている。一方、従来のペンダント灯２０においては、太い電線を被覆した電源供給用コード２３がソケットを介してＬＥＤ電球２１に連結されている。本実施形態において、従来のペンダント灯２０とは異なり、電源供給用コード１３に細く透明な被覆電線を使用できる理由、及び、ソケットを介さない理由は、従来のＬＥＤ電球２１と本実施形態に係る電球型ＬＥＤ１１の構造の違いに起因する。
【００２２】
以下、従来のＬＥＤ電球２１と本実施形態に係る電球型ＬＥＤ１１の構造の違いについて説明する。まず、従来のＬＥＤ電球２１の内部構造を説明する。図３は、従来のペンダント灯に使用するＬＥＤ電球の正面図であって、口金の内部を示す断面図である。
【００２３】
図３において、ＬＥＤ電球２１は、光透過性の電球シェル２５と口金２６とＬＥＤモジュール２７と、電源回路２８とを有している。電球シェル２５は、主としてガラス製であって、このガラスは、光透過性であればよくクリアガラスであっても或いはフロストガラスであってもよい。また、ＬＥＤモジュール２７は、直列に接続された４本の棒状モジュールにより構成され、電源回路２８に固定されたガラス製の支柱２９ａ、２９ｂにより全方面に光を発するように電球シェル２５の内部に収容されている。この支柱２９ａ、２９ｂの内部には、ＬＥＤモジュール２７に電流を供給する内部導入線（図示せず）が電源回路２８から配されている。
【００２４】
口金２６は、アルミニウム又は真鍮などの金属製であって、プラグ部２６ａとコネクタ部２６ｂとが一体成型されている。プラグ部２６ａは、エジソンタイプのねじ山を備えて筒状に成型されており、その下部にコネクタ部２６ｂが筒状に成型されている。プラグ部２６ａの上端部（コネクタ部２６ｂと反対側の端部）には、プラグ部２６ａと電気的に絶縁された中心電極２６ｃが設けられている。この口金２６の内部には、電源回路２８が収容されている。また、コネクタ部２６ｂの開放端部（プラグ部２６ａと反対側の端部）には、電球シェル２５が接着剤（図示せず）によって接着されている。
【００２５】
また、口金２６と電源回路２８とは電気的に接続されており、電源回路２８から出る２本の外部導入線のうち一方の外部導入線２８ａは口金２６のプラグ部２６ａと結線され、他方の外部導入線２８ｂは口金２６の中心電極２６ｃと結線されている。なお、従来のＬＥＤ電球２１においては、電源回路２８から出る２本の外部導入線２８ａ、２８ｂは、１００Ｖ電圧用の太い電線となっている。
【００２６】
これに対して、本実施形態に係る電球型ＬＥＤ１１の構造について説明する。図４は、本考案に係るペンダント灯に使用する電球型ＬＥＤの正面図であって、口金を模したカバーの内部を示す断面図である。
【００２７】
図４において、電球型ＬＥＤ１１は、光透過性の電球シェル１５とダミー口金１６とＬＥＤモジュール１７とを有している。しかし、電球型ＬＥＤ１１の内部は、従来のＬＥＤ電球に内蔵される電源回路（図３参照）を有していない。このことについては後述する。電球シェル１５は、従来のＬＥＤ電球と同様に、主としてガラス製であって、このガラスは、光透過性であればよくクリアガラスであっても或いはフロストガラスであってもよい。また、ＬＥＤモジュール１７は、直列に接続された４本の棒状モジュールにより構成され、電球シェル１５の上端部に一体的に固定されたガラス製の支柱１９ａ、１９ｂにより全方面に光を発するように電球シェル１５の内部に収容されている。この支柱１９ａ、１９ｂの内部には、ＬＥＤモジュール１７に電流を供給する内部導入線（図示せず）が配されている。
【００２８】
本実施形態に係る電球型ＬＥＤ１１においては、従来のＬＥＤ電球の口金に替えて、電球用の口金を模したダミー口金１６を有している。このダミー口金１６は、従来の口金と同様の形状をしているが、電気的に絶縁されている（電線と結線されていない）。また、このダミー口金１６は、ソケットに装着されることもない（図１参照）。このことから、上述のように、暗い室内に吊下げられた電球型ＬＥＤ１１が点灯することにより、細く透明な電源供給用コード１３は目立ちにくく、あたかも電球型ＬＥＤ１１のみが宙に浮いているような演出をすることができる。
【００２９】
ダミー口金１６は、従来の口金と同様にアルミニウム又は真鍮などの金属製であってもよく、或いは、これを模したプラスチック製であってもよい。本実施形態においては、ダミー口金１６は、従来の口金と同様にプラグ部１６ａとコネクタ部１６ｂとが一体成型されている。プラグ部１６ａは、エジソンタイプのねじ山を備えて筒状に成型されており、その下部にコネクタ部１６ｂが筒状に成型されている。プラグ部１６ａの上端部（コネクタ部１６ｂと反対側の端部）には、従来の中心電極を模したダミー電極１６ｃが設けられている。このダミー電極１６ｃは、従来の口金と同様の形状をしているが、電気的に絶縁されている（電線と結線されていない）。また、コネクタ部１６ｂの開放端部（プラグ部１６ａと反対側の端部）には、電球シェル１５が接着剤（図示せず）によって接着されている。
【００３０】
ここで、ダミー口金１６が電気的に絶縁されている理由について説明する。上述のように、電球型ＬＥＤ１１は、従来のＬＥＤ電球に内蔵される電源回路を有していない（図３及び図４参照）。本実施形態に係るペンダント灯１０においては、電源回路１８は電球型ＬＥＤ１１の内部ではなく、天井取付具１２の内部に収容されている（図１では電源回路１８を図示せず）。この電源回路１８は、室内の天井に設置された電源端末（１００Ｖ）から接続具１２ａ（図１参照）を介して１００Ｖの電圧を受けると共に、ＬＥＤモジュールの発光に必要な低電圧に変調する。例えば、４８Ｖ・３６Ｖ・２４Ｖなどである。
【００３１】
従って、電源回路１８とＬＥＤモジュールとを接続する電線（内部導入線）は、電源端末（１００Ｖ）と電源回路１８とを接続する電線（外部導入線）よりも細いものを使用することができる。本実施形態に係る電球型ＬＥＤ１１においては、ＬＥＤモジュール１７に電流を供給する細い内部導入線が、電球シェル１５の上端部からダミー口金１６の内部に導出されている（図４の１８ａ、１８ｂ）。この内部導入線１８ａ、１８ｂは、電気的に絶縁されているダミー電極１６ｃを介して電源供給用コード１３の内部を通り、天井取付具１２の内部に収容されている電源回路１８に接続されている。よって、電源供給用コード１３は、電球型ＬＥＤ１１の自重に耐える範囲で細くすることができる。
【００３２】
以上、説明したように、本実施形態に係るペンダント灯１０においては、電源供給用コード１３が細く、且つ透明など目立たない被覆電線をしようすることにより、暗い室内に吊下げられた電球型ＬＥＤ１１が点灯することにより、細く透明な電源供給用コード１３は目立ちにくく、あたかも電球型ＬＥＤ１１のみが宙に浮いているような演出をすることができる。また、本実施形態に係るペンダント灯１０においては、従来のようにソケットを使用することがないので、電球シェルと口金だけが視覚に入り意外性を演出することもできる。
【００３３】
よって、本考案によれば、シンプルなデザインや目を引くデザインの吊下げソケットを使用しないで、直接フィラメント型ＬＥＤ電球が点灯する雰囲気を楽しむことができ、また、吊下げソケットがないことの意外性をも楽しむことができるペンダント灯を提供することができる。
【００３４】
なお、本考案の実施にあたり、上記実施形態に限らず次のような種々の変形例が挙げられる。
（１）上記実施形態においては、ペンダント灯の電球型ＬＥＤと電源供給用コードとの接続部分のカバーとして電気的に絶縁されたダミー口金を使用するが、これに限るものではなく、他の形状のカバーを使用してもよい。また、ダミー口金などのカバーを使用することなく、電球型ＬＥＤの電球シェルから電源供給用コードが直接導出しているようにしてもよい。
（２）上記実施形態においては、天井に設置された電源端末（１００Ｖ）にペンダント灯を接続する天井取付具としてレール用プラグを使用するが、これに限るものではなく、引掛けシーリングなど他の天井取付具をしようしてもよい。
（３）上記実施形態においては、電源供給用コードとして透明な被覆電線を使用するが、これに限るものではなく、透明以外の他の色彩の被覆電線を使用するようにしてもよい。
【符号の説明】
【００３５】
１０、２０…ペンダント灯、１１…電球型ＬＥＤ、２１…ＬＥＤ電球、
１２、２２…天井取付具、１２ａ…接続具、１３、２３…電源供給用コード、
１３ａ、１３ｂ、２３ａ、２３ｂ…端末、２４…ソケット、
１５、２５…電球シェル、１６…ダミー口金、２６…口金、
１６ａ、２６ａ…プラグ部、１６ｂ、２６ｂ…コネクタ部、
１６ｃ…ダミー電極、２６ｃ…中心電極、１７、２７…ＬＥＤモジュール、
１８、２８…電源回路、１８ａ、１８ｂ…内部導入線、２８ａ、２８ｂ…外部導入線、
１９ａ、１９ｂ、２９ａ、２９ｂ…支柱。
【図１】
0003210959.tif 000003
【図２】
0003210959.tif 000004
【図３】
0003210959.tif 000005
【図４】
0003210959.tif 000006